(57)【特許請求の範囲】
【請求項１】
地図情報を表示させる表示手段と、
前記表示手段による地図情報の表示の制御をする制御手段と、
前記表示手段による地図情報の表示の操作を行うための操作手段と、
前記操作手段の位置を三次元的に検出する位置検出手段とを備え、
前記制御手段は、
前記地図情報を初期縮尺で前記表示手段に表示させ、
前記操作手段による前記表示手段による地図情報の表示の操作開始時点の現在位置をスタート位置とし、
前記位置検出手段による検出タイミング毎の位置検出信号に基づいて前記操作手段の三次元座標系（ｘｙｚ座標系）における位置および前回の検出タイミングからの変位量を算出し、
前記操作手段の変位量について、前記三次元座標系におけるｘｙ面内の変位量を水平変位量とし、ｚ軸方向の変位量を垂直変位量としたときに、
前記垂直変位量が「垂直変位無し」と判定されるときには、その時点において前記表示手段に表示している縮尺で前記水平変位量に対する表示移動を行うと共にその時点での水平位置および垂直位置を新たなスタート位置とし、
前記垂直変位量が「垂直変位有り」と判定されるときには、その時点以前に前記垂直変位量が「垂直変位無し」と判定された時点が存在する場合には前記新たなスタート位置、存在しない場合には前記スタート位置まで遡り、前記新たなスタート位置もしくは前記スタート位置からの水平変位量および垂直変位量を積算して積算水平変位量および積算垂直変位量を取得し、前記積算垂直変位量に応じた変更幅で縮尺を変更すると共に、変更後の縮尺での単位距離で前記積算水平変位量に対する表示移動を行う
ことを特徴とする地図表示操作装置。
【請求項２】
請求項１に記載の地図表示操作装置において、
前記制御手段は、前記垂直変位量が使用者の視点から遠ざかる方向への移動を示す値であるときには前記縮尺を前記垂直変位量に応じた変更幅で小さくし、前記垂直変位量が使用者の視点に近づく方向への移動を示す値であるときには前記縮尺を前記垂直変位量に応じた変更幅で大きくすることを特徴とする地図表示操作装置。
【請求項３】
請求項１または２に記載の地図表示操作装置において、
前記三次元座標系は、重力方向をｚ軸方向とする座標系として設定されていることを特徴とする地図表示操作装置。
【請求項４】
請求項１ないし３のいずれかに記載の地図表示操作装置において、
前記地図情報は、特定の地点に重み値を付加した特定地点として記録され、
前記制御手段は、画面に表示中の特定地点の重み値から重心位置を算出し、前記地図情報の表示の縮尺を大きくするときに、画面の中心位置から前記重心位置方向にシフトさせて表示させることを特徴とする地図表示操作装置。
【請求項５】
請求項４に記載の地図表示操作装置において、
前記制御手段は、前記重心位置の計算を、前記画面中の前記特定地点の座標値と重心位置座標との距離と前記重み値との積で求まるモーメント値が釣り合うときの重心位置座標として求めることを特徴とする地図表示操作装置。
【請求項６】
請求項４または５に記載の地図表示操作装置において、
前記制御手段は、前記地図情報の表示の縮尺を大きくするときに、前記中心位置と前記重心位置との差の距離を縮尺が最大のときに前記重心位置に中心位置が一致させるようにそのときの縮尺に応じて比例配分してシフトさせることを特徴とする地図表示操作装置。
【請求項７】
請求項４ないし６のいずれかに記載の地図表示操作装置において、
前記制御手段は、前記特定地点として登録されている地点を目的地として設定した場合に、その設定回数が多くなるほど前記重み値を増加させ、最後の設定時からの経過時間が長くなるほど前記重み値を減少させるように重み値調整処理を行うことを特徴とする地図表示操作装置。
【請求項８】
請求項７に記載の地図表示操作装置において、
前記制御手段は、前記重み値調整処理では、次式（Ａ）に基づいて調整重み値Ｗを算出することを特徴とする地図表示操作装置。
Ｗ＝Ｗｏ×ｌｏｇ（Ｃ／Ｔ）＋Ｗｏ              （Ａ）
ここに、Ｗｏは予め設定されている重み値、Ｃは目的地設定回数、Ｔは最後の設定時からの経過月数である。
【請求項９】
請求項１ないし８のいずれかに記載の地図表示操作装置において、
前記制御手段は、前記変位量について、前記水平変位量が水平変位判定量を超えていないときには「水平変位無し」と判断し、前記垂直変位量が垂直変位判定量を超えていないときには「垂直変位無し」と判断することを特徴とする地図表示操作装置。
【請求項１０】
請求項９に記載の地図表示操作装置において、
前記制御手段は、前記水平変位判定量および垂直変位判定量として、過去の複数回の変位量の値に基づいて設定することを特徴とする地図表示操作装置。
【請求項１１】
請求項１０に記載の地図表示操作装置において、
前記制御手段は、前記水平変位判定量および垂直変位判定量として、過去の所定回数の変位量の値から求めた分布上水平／垂直の変位と判断できる許容範囲に基づいて設定することを特徴とする地図表示操作装置。
【請求項１２】
請求項１ないし１１のいずれかに記載の地図表示操作装置において、
前記位置検出手段は、前記操作手段としてのリモコンに設けられる加速度センサであることを特徴とする地図表示操作装置。
【発明の詳細な説明】
【技術分野】
【０００１】
本発明は、表示装置に表示させる地図の移動、縮尺の操作を行うための地図表示操作装置に関する。
【背景技術】
【０００２】
ナビゲーション装置などにおいて、表示装置に地図を表示したときに、表示している場所とは別の場所を表示させたい場合あるいは現在位置から目的地へ表示を移動させたい場合には、地図の移動あるいは縮尺の変更を行う操作をする。例えば、表示装置の画面にタッチして表示を移動させる場合には、画面の中心に対して移動させたい方向の位置で画面にタッチすることでスクロールする方式がある。また、地図の縮尺を変えて拡大あるいは縮小をする場合には、拡大ボタンあるいは縮小ボタンを押す操作をすることで切り替えるものがある。
【０００３】
また、最近では、表示装置の画面にタッチする方法として、画面に指を触れてフリック操作やピンチ操作などをすることで、表示を指の移動方向に移動させたり、２本の指の動作に合わせて拡大あるいは縮小させたりする操作が行えるようにした技術がある。このピンチ操作の方法では、実際に見ている状態をタッチ操作により２本の指を広げるように操作したり狭めたりするように操作することで拡大や縮小を行うので、操作間隔としては使用者に馴染みやすい利点がある。しかし、カーナビゲーション装置のように、画面を直接タッチ操作することがやりにくいものでは、このような操作が行い難く却って面倒な操作となる。
【０００４】
一方、画面を直接タッチする操作ではなくリモコンを用いて画面表示の移動や拡大縮小などの操作を行うものがある（特許文献１参照）。このものでは、操作ガイド領域Ｇをなぞる操作をすることでスクロールと縮尺変更を同時に行えるように構成されている。
【先行技術文献】
【特許文献】
【０００５】
【特許文献１】特開２０１１−０７５８９３号公報
【発明の概要】
【発明が解決しようとする課題】
【０００６】
しかしながら、特許文献１に示されるものにおいては、縮尺量の設定が不明であり、例えば愛知県の現在位置から北海道の目的地まで移動したい場合の地図表示の移動においては、かなりの縮尺の変更が必要だが、このような場合の操作が難しい。また、拡大や縮小の操作がガイド領域の内側と外側の操作による区別をしているため、直感的に操作ができなくなる点で、使い勝手が良いものとは言えない。
【０００７】
本発明は、上記事情を考慮してなされたもので、その目的は、地図表示の変更を行う場合に、実際に地図を見ていて移動させるような感覚で行え、操作感覚に優れた使い勝手の良い地図表示操作装置を提供することにある。
【課題を解決するための手段】
【０００８】
請求項１に記載の地図表示操作装置によれば、表示手段による地図情報の表示の操作をするために、操作手段により、所定の三次元座標系に対するｘｙ面内の変位およびｚ方向に対する変位をすることで、位置検出手段によりこれが検出され、制御手段により変位量に応じて地図内での移動および縮尺の変更をさせて表示させるようになる。このとき、制御手段は、はじめに表示手段に初期縮尺あるいは前回表示させた縮尺で地図情報を表示させ、その後は、操作手段が操作されることに応じて次のように表示の制御を行う。制御手段は、地図情報を初期縮尺で前記表示手段に表示させ、前記操作手段による前記表示手段による地図情報の表示の操作開始時点の現在位置をスタート位置とし、位置検出手段による検出タイミング毎の位置検出信号に基づいて操作手段の三次元座標系における位置および前回の検出タイミングからの変位量を算出し、操作手段の変位量について、垂直変位量が「垂直変位無し」と判定されるときには、その時点において表示手段に表示している縮尺で水平変位量に対する表示移動を行うと共にその時点での水平位置および垂直位置を新たなスタート位置、垂直変位量が「垂直変位有り」と判定されるときには、その時点以前に垂直変位量が「垂直変位無し」と判定された時点が存在する場合には前記新たなスタート位置とし、存在しない場合には前記スタート位置まで遡り、前記新たなスタート位置もしくは前記スタート位置からの水平変位量および垂直変位量を積算して積算水平変位量および積算垂直変位量を取得し、積算垂直変位量に応じた変更幅で縮尺を変更すると共に、変更後の縮尺での単位距離で積算水平変位量に対する表示移動を行うようになる。これにより、使用者による操作手段の操作において、垂直変位を伴う連続的な移動操作で水平変位量に対応する変位を積算垂直変位量に対応した縮尺にして表示するので、実際の操作感覚に合った操作を行うことができ、操作性が向上する。
【０００９】
請求項２の地図表示操作装置によれば、上記発明において、制御手段により、垂直変位量が使用者の視点から遠ざかる方向への移動を示す値であるときには縮尺を垂直変位量に応じた変更幅で小さくし、垂直変位量が使用者の視点に近づく方向への移動を示す値であるときには縮尺を垂直変位量に応じた変更幅で大きくするようにしたので、使用者が操作手段の操作を、地図を見ている状況に対応させて移動させることによりその変位量から操作に応じた表示の移動を行うことができ、使用者が地図を見ているときの地図を移動させる感覚で直感的に操作することができるようになり、操作性が向上する。
【００１０】
請求項３に記載の地図表示操作装置によれば、上記各発明において、三次元座標系を、重力方向をｚ軸方向とする座標系として設定するので、操作手段を操作する際に、絶対的な方向を基準にして縮尺の変更設定をすることができる。
【００１１】
請求項４に記載の地図表示操作装置によれば、上記各発明において、地図情報を、特定の地点に重み値を付加した特定地点として記録し、制御手段により、画面に表示中の特定地点の重み値から重心位置を算出し、地図情報の表示の縮尺を大きくするときに、画面の中心位置から重心位置方向にシフトさせて表示させるようにしたので、地図を拡大表示させるときに中心位置を基準として拡大する際に重み付けをした特定地点を画面内にできるだけ含むように表示させることができ、表示された地図の画面による確認がしやすくなる。
【００１２】
請求項５に記載の地図表示操作装置によれば、上記請求項４の発明において、制御手段により、重心位置の計算を、画面中の前記特定地点の座標値と重心位置座標との距離と重み値との積で求まるモーメント値が釣り合うときの重心位置座標として求めるようにしたので、複数の特定地点が存在する場合に、重み付けを大きくした特定地点を優先するように表示させることができ、使用者にとって確認しやすく使い勝手の良い表示動作を行わせることができる。
【００１３】
請求項６に記載の地図表示操作装置によれば、上記請求項４または５の発明において、制御手段により、地図情報の表示の縮尺を大きくするときに、中心位置と重心位置との差の距離を縮尺が最小のときに重心位置に中心位置が一致させるようにそのときの縮尺の度合いに応じて比例配分してシフトさせるようにしたので、表示状態を地図を拡大する方に操作するに従って徐々にシフトさせることで急激な表示移動を避けて自然な表示動作を行わせることができる。
【００１４】
請求項７に記載の地図表示操作装置によれば、上記請求項４ないし６の発明において、制御手段により、特定地点として登録されている地点を目的地として設定した場合に、その設定回数が多くなるほど重み値を増加させ、最後の設定時からの経過時間が長くなるほど重み値を減少させるように重み値調整処理を行うようにしたので、使用者の行動履歴に追随しつつ、最新の行動情報に基づいて表示の仕方を変化させることができ、良く行く特定地点を優先したわかりやすい表示を行わせることができる。
【００１５】
請求項８に記載の地図表示操作装置によれば、上記請求項７の発明において、制御手段により、重み値調整処理では、次式
Ｗ＝Ｗｏ×ｌｏｇ（Ｃ／Ｔ）＋Ｗｏ              （Ａ）
に基づいて調整重み値Ｗを算出するようにした。この場合、Ｗｏは予め設定されている重み値、Ｃは目的地設定回数、Ｔは最後の設定時からの経過月数である。
【００１６】
これにより、目的地の設定回数Ｃが増えるとその対数分だけ乗じた重み付けとすることで設定回数の頻度に準じた対応をすることができ、また、最後の設定時からの経過月数Ｔで目的地設定回数Ｃを除することで経過月数Ｔが増えると、重み付けを少なくする対応をすることができ、これらの目的地設定状況に応じた重み付けを行なって、地図の表示をより認識しやすくすることができる。
【００１７】
請求項９に記載の地図表示操作装置によれば、上記各発明において、制御手段により、変位量について、水平変位量が水平変位判定量を超えていないときには「水平変位無し」と判断し、垂直変位量が垂直変位判定量を超えていないときには「垂直変位無し」と判断するようにしたので、使用者が水平方向あるいは垂直方向のみに操作手段を操作する場合に、使用者の意図していない操作をしてしまう場合でも、その許容範囲をもたせることで操作性の向上を図ることができる。
【００１８】
請求項１０に記載の地図表示操作装置によれば、上記請求項９の発明において、制御手段により、水平変位判定量および垂直変位判定量として、過去の複数回の変位量の値に基づいて設定するようにしたので、使用者の個人差によって操作にばらつきがある場合でも、その操作者のクセなどを考慮した条件で動作の判定をすることができ、使い勝手の向上を図ることができる。
【００１９】
請求項１１に記載の地図表示操作装置によれば、上記請求項１０の発明において、制御手段により、水平変位判定量および垂直変位判定量として、過去の所定回数の変位量の値から求めた分布上水平／垂直の変位と判断できる許容範囲に基づいて設定するようにしたので、使用者の使い方が変動する場合でもその変動に追随して柔軟に対応することができ、使い勝手の向上を図ることができる。
【００２０】
請求項１２に記載の地図表示操作装置によれば、上記各発明において、位置検出手段を、操作手段としてのリモコンに設けられる加速度センサとしたので、リモコンの動きを加速度信号により捉えて位置を算出し、これによって変位量を検出するので、簡単な構成としながらリモコンの位置を検出することができる。
【図面の簡単な説明】
【００２１】
【図１】本発明の一実施形態を示す電気的なブロック構成図
【図２】リモコンの外観を示す上面図
【図３】リモコンの変位に対応した地図表示の制御のフローチャート
【図４】地図描画変位量算出のフローチャート
【図５】リモコンの挙動検出のフローチャート
【図６】リモコン軌跡と座標の説明図（その１）
【図７】リモコン軌跡と座標の説明図（その２）
【図８】リモコン軌跡に対応するＸ−Ｚ面の位置関係を示す図
【図９】地図の縮尺レベルと移動幅の説明図（その１）
【図１０】地図の縮尺レベルと移動幅の説明図（その２）
【図１１】リモコンの座標と表示画面の説明図（ステップ１）
【図１２】リモコンの座標と表示画面の説明図（ステップ２）
【図１３】リモコンの座標と表示画面の説明図（ステップ３）
【図１４】リモコンの座標と表示画面の説明図（ステップ４）
【図１５】リモコンの座標と表示画面の説明図（ステップ５）
【図１６】ＰＯＩ地点と重みの管理を示す図
【図１７】座標補正の説明図
【発明を実施するための形態】
【００２２】
以下、車両用ナビゲーション装置に適用した場合の一実施形態について図面を参照しながら説明する。
図１は電気的なブロック構成を示すもので、車両用ナビゲーション装置１は、制御手段としてのマイコンを主体として構成された制御回路２を中心として構成されている。制御回路２には、位置検出器３、地図データ入力器４、操作スイッチ群５、外部メモリＩ／Ｆ（インターフェース）６、表示装置７、スピーカ８が接続された音声コントローラ９、マイク１０に入力された音声を認識する音声認識装置１１、リモコン１２との間でコマンドなどの送受信を行うリモコンセンサ１３、ＶＩＣＳ（登録商標）センタ１４からの種々の交通情報を受信するＶＩＣＳ受信機１５が接続されている。
【００２３】
位置検出器３は、車両の現在位置を検出するもので、車両の回転角速度を検出するジャイロスコープ１６、車両の走行距離を検出する距離センサ１７、ＧＰＳ（Global Positioning System）衛星からの送信電波に基づいて車両の現在位置を検出（測位）するためのＧＰＳ受信機１８を備えている。制御回路２は、各センサ１６〜１８の検出信号に基づいて、車両の現在位置、進行方向、速度、走行距離、現在時刻などを検出する。この場合、精度の高いセンサを用いるのであれば、位置検出器３を上述したセンサ１６〜１８の一部のみで構成してもよい。また、ステアリングの回転センサや各転動輪の車輪センサなどを用いてもよい。
【００２４】
地図データ入力器４は、データ記録メディアから地図データなどを読み出すドライブ装置により構成されている。データ記録メディアとしては、ＤＶＤなどの大容量記憶媒体を用いるのが一般的であるが、ＣＤ、メモリカード、ハードディスク装置などの記憶媒体を用いても良い。また、データ記録メディアには、経路探索、経路案内などの種々の処理に必要な各種データが記憶され、さらに、施設名称を例えば５０音順に並べた施設名称データベース、電話番号と施設との対応を示す電話番号データベースなどの各種データベースが設けられている。
【００２５】
表示手段としての表示装置７には、地図情報を表示するための例えばカラー液晶表示器が設けられ、このカラー液晶表示器の表面に透明電極により構成された操作入力用のタッチパネルが一体に設けられている。表示装置７の画面には、車両の現在位置、目的地、あるいは表示を所望する地点を含んだ地図が所定の縮尺で表示されると共に、各種の案内情報などが表示される。また、表示装置７は、画面中に表示されている部分をタッチ操作すると、その操作位置と操作内容に応じた入力がなされるように構成されている。
【００２６】
操作スイッチ群５は、表示装置７の画面の近傍に設けられたメカニカルスイッチや、表示装置７の画面上に設けられたタッチパネルに設定されるスイッチを含んだ複数のスイッチからなる。操作スイッチ群５は、これらのメカニカルスイッチやタッチパネルスイッチの操作に応じた各種の指令信号（コマンド）を制御回路２に与える。
【００２７】
音声認識装置１１は、マイク１０を介して入力された音声と内部に記憶してある認識用の辞書データとを照合し、入力された音声を認識する。音声コントローラ９は、音声認識装置１１を制御して音声認識結果を制御回路２に出力するとともに、認識された音声をスピーカ８を介してトークバック出力する。また、制御回路２からの音声出力指令に基づいて音声出力信号をスピーカ８に出力する。スピーカ８から出力される音声は、経路案内に関する音声、操作説明に関する音声、上記のトークバック音声などである。
【００２８】
制御回路２は、ＣＰＵ１９、ＲＡＭ、ＲＯＭ、ＥＥＰＲＯＭ、フラッシュメモリなどからなるメモリ２０、Ｉ／Ｏインターフェース２１などを備えて構成されており、ナビゲーション動作を制御する機能を有している。制御回路２は、メモリ２０に記憶された制御プログラムをＣＰＵ１９に実行させることにより、経路探索、経路案内などを行う。
【００２９】
操作手段としてのリモコン１２は、所謂スマートフォンなどの位置を検出する手段を備えたものを利用している。スマートフォンを車両用ナビゲーション装置１に対する地図操作のためのリモコン１２として利用する場合の構成は、地図操作の制御のための処理を行うＣＰＵを主体とした制御回路２２を中心として構成されている。制御手段としての制御回路２２には、Ｇセンサ（加速度センサ）２３、通信回路２４、スイッチ群２５および表示部２６が接続されている。
【００３０】
Ｇセンサ２３は、使用者による操作内容を示す三次元的な動作を加速度検出信号として検出し、この加速度検出信号に基づいて制御回路２２によりリモコン１２の三次元的な位置座標や、変位量などを演算により算出するものである。通信回路２４は、車両用ナビゲーション装置１のリモコンセンサ１３との間で通信を行うもので、制御回路２２から出力される操作内容の情報を車両用ナビゲーション装置１に送信したり、車両用ナビゲーション装置１からの情報を受信したりするものである。
【００３１】
表示部２６は、図２にも示すように、本体の上面にほぼ全面に設けられたカラー液晶ディスプレーからなるもので、各種の操作用の画面を表示させたり、他の必要な情報を表示させたりする。表示部２６も表面にタッチパネルが設けられていて画面に表示された操作ボタンなどがスイッチ群２５として機能するようになっている。また、表示部２６の下部には、スイッチ群２５の１つとして設けられた電源スイッチ２５ａが配置されている。この電源スイッチ２５ａは、電源のオンオフや、スマートフォンとしてのホーム画面に戻るためのスイッチとして機能する。
【００３２】
図２には表示部２６の表示画面を示しており、ここでは地図操作用のアプリが操作できるように表示された状態を示している。表示部２６の画面中、ＳＴＡＲＴ（スタート）スイッチ２５ｂおよびＳＴＯＰ（ストップ）スイッチ２５ｃをタッチ操作して地図操作用アプリによる地図操作の実行および停止を行う。微調整ボタン２５ｄは、リモコン１２の位置の変位量に対して地図上での変位量を小さくするようにして微調整を行うためのものである。また、リモコン１２では、車両用ナビゲーション装置１の操作についても対応するアプリを導入して起動することにより実施することができるように構成されている。
【００３３】
次に、上記構成を用いてリモコン１２により車両用ナビゲーション装置１の表示装置７に表示させる地図の移動や縮尺の操作を行う場合の作用について、図３〜図１７も参照して説明する。なお、車両用ナビゲーション装置１による通常の経路案内の処理や、経路案内時の地図表示、あるいは目的地設定の手続きや種々の検索処理などは、周知のものと同様であるので、ここでは詳細な説明は省略する。
【００３４】
この実施形態においては、リモコン１２による地図表示の操作を、実際に紙の地図を広げてこれを見るときに行うような動作に準じて行えるようにすることで、操作感覚を向上させるものである。具体的な操作の概要としては、例えば、より詳細な地図を見たいときは、顔に地図を近づけ、より広域な情報を得たい場合は、顔から地図を遠ざけるように地図を移動させる動作をすることに着目し、車両用ナビゲーション装置１を操作するリモコン１２を恰も地図を移動させるように上下左右に移動させることで、地図の表示状態を変化させてより実際の動作に近い形で表示操作を可能となるようにしている。
【００３５】
ここでは、スマートフォンをリモコン１２とし、リモコン１２を上昇させると、地図の表示は縮尺を大きくして中心部分を拡大して詳細な表示をするようになり、リモコン１２を下降させると地図の表示は縮尺を小さくして広域な表示をするようになる。また、リモコン１２を横に動かすことにより、地図の表示を画面中で移動させる事が出来るようにしている。
【００３６】
次に、リモコン１２による具体的操作内容と表示装置７の地図表示との関係について説明する。ここで、リモコン１２の位置を示す座標系（ｘ，ｙ，ｚ）の取り方を、ｚ方向を重力が作用する方向の反対を正となるように対応させ、ｘｙ方向をリモコン１２の水平面内での横方向及び縦方向に対応付けて設定し、これをＧセンサ２３により認識するものとする。したがって、以下の説明において、リモコン１２のｚ方向の移動は、リモコン１２の垂直方向あるいは上下方向の変位に対応し、リモコン１２のｘｙ方向の移動は、リモコン１２の水平面内での縦方向あるいは横方向への変位に対応する。
【００３７】
リモコン１２の実際の移動可能幅（ＲＸ，ＲＹ，ＲＺ）は、どの縮尺においても固定値として（ＲＸ，ＲＹ，ＲＺ）＝（４０ｃｍ，４０ｃｍ，２０ｃｍ）であり、そのリモコン１２の変位量ΔＲのうちの水平方向（Ｘ−Ｙ平面方向）の変位量Δｘ（＝０〜ＲＸ）、Δｙ（＝０〜ＲＹ）の値に応じて、そのレベルの縮尺における単位距離の値に乗ずることで表示移動させるべき地図上での移動距離が求まる。
【００３８】
地図の縮尺は、図９に示しているように、縮尺が最も大きい側すなわち最も詳細に表示するレベル１から、縮尺が最も小さい側すなわち最も広域を表示するレベルｎまでのｎ段階に切り替え可能にデータが準備されている。各縮尺のレベルｋ（＝１，２，…，ｎ）における表示装置７の画面上での表示距離の幅を、ｘ方向についてＭＸｋ、ｙ方向についてＭＹｋとする。
【００３９】
上記のレベルと縮尺による移動幅との関係は、図１０に示すようになる。例えば、縮尺が最も大きいレベル１では、地図移動幅ＭＸ１、ＭＹ１はそれぞれ５００ｍとし、レベル２では地図移動幅ＭＸ２、ＭＹ２はそれぞれ６００ｍというように段階的に変化し、ここでは、縮尺が最も小さいレベルｎまでのｎ段階に変化するように設定されており、レベルｎでは地図移動幅ＭＸｎ、ＭＹｎはそれぞれ２０００ｍ（２ｋｍ）としている。なお、レベルｋの縮尺における地図移動幅ＭＸｋ、ＭＹｋの設定は、適宜変更することができるし、レベル数もｎ段階に限らず変更することができる。
【００４０】
つまり、縮尺のレベルｋにおいて、リモコン１２を水平方向に移動可能幅ＲＸ（＝４０ｃｍ）あるいはＲＹ（＝４０ｃｍ）だけ変位させると地図上での移動幅がＭＸｋあるいはＭＹｋとなることを示しており、リモコン１２を垂直方向に移動可能幅ＲＺ（＝２０ｃｍ）だけ変位させると、最大でレベル１の状態からレベルｎの状態まで縮尺の変更設定を行わせることができることになる。
【００４１】
次に、リモコン１２による地図表示の移動について、具体例をもって説明する。ここでは、例えば愛知県のＪＲ刈谷駅から千歳空港まで移動させる場合の操作と表示状態について説明する。この実施形態においては、図６に示すように帯状の矢印で示すリモコン軌跡Ｓ１、Ｓ２の動きをすることで所望の移動を行えるように地図表示を制御する。ここで、図６に示すリモコン軌跡Ｓ１、Ｓ２は、リモコン１２の制御回路２２においては、図７に示すステップ１からステップ５に至る順序で移動したのと同じ操作をしたこととして検出し、この移動軌跡に従って地図表示の制御用データを作成する。これにより、リモコン１２の移動をスムーズに行えると共に、直感的な動作にマッチした表示動作を行うことができるようになる。
【００４２】
図１１〜図１５は、リモコン１２の位置がステップ１〜５の位置Ｒ（１）〜Ｒ（５）にあるときの座標と表示画面との対応を示している。図１１では表示装置７はＪＲ刈谷駅周辺を示しており、このときのリモコン１２の位置はステップ１の位置Ｒ（１）＝（ｘａ，ｙａ，ｚａ）である。図１２では、リモコン１２を水平方向にステップ２の位置Ｒ（２）＝（ｘｂ，ｙｂ，ｚａ）に移動させ、表示装置７には現在表示している縮尺の状態でＪＲ刈谷駅から移動させて「○○本社」が表示される位置に移動している。
【００４３】
次に、図１３では、リモコン２１を下方（ｚ方向）に移動させてステップ３の位置Ｒ（３）＝（ｘｂ，ｙｂ，ｚｂ）にすることで縮尺を小さくなるようにし、表示装置７には愛知県を中心とした東海圏を表示させた状態である。図１４では、リモコン１２を大きく水平方向に移動させてステップ４の位置Ｒ（４）＝（ｘｃ，ｙｃ，ｚｂ）とし、縮尺が小さい状態で表示装置７の地図表示位置が北海道になるようにしたところである。図１５では北海道を表示した状態でリモコン１２を上方に移動させてステップ５の位置Ｒ（５）＝（ｘｃ，ｙｃ，ｚａ）として縮尺を大きくして目的地を拡大するようにすることで「千歳空港」を表示させたところである。
【００４４】
上記のようにリモコン１２を水平方向あるいは垂直方向のいずれかに操作することで所望の位置に表示装置７の地図表示位置を移動させることは、使用者にとって自然な動きではないので操作性の点で使い勝手が良くない。そこで、この実施形態においては、前述のようにリモコン軌跡Ｓ２のような移動をする場合でも全く同様の地図表示の移動を行わせることができるようにしている。
【００４５】
具体的には、図６に示したリモコン１２の移動軌跡は、リモコン軌跡Ｓ１が水平操作を行なった軌跡で、リモコン軌跡Ｓ２が円弧を描くように滑らかに動かした場合の軌跡を示している。リモコン１２をこのように操作することで図７に示したのと同等の操作をしたいのであるが、単純に移動前のリモコン座標Ｒ（ｘ，ｙ，ｚ）から刻々と変位する位置に対して各移動前後の変位量ΔＲ（Δｘ，Δｙ，Δｚ）分を地図に反映するだけでは、最終的に表示される地図は意図する場所とは異なる場所を示す結果となる。これは、移動する先々でのリモコン１２の移動の検出タイミングで得られた縮尺に対応した水平移動量を演算により求めて地図画面を移動させることになるからである。
【００４６】
これを解消するために、図６に示したようなリモコン軌跡Ｓ２の場合には、図７に示したステップ２の位置Ｒ（２）＝（ｘｂ，ｙｂ，ｚａ）からステップ３及びステップ４の各位置Ｒ（３）、Ｒ（４）を経てステップ５の位置Ｒ（５）＝（ｘｃ，ｙｃ，ｚａ）に移動したことと同等の動作として認識するために、次のような本実施形態に特有の処理を施すようにしている。
【００４７】
つまり、この実施形態では、水平移動のみあるいは垂直移動のみをする場合と異なり、図８にも示すように、リモコン軌跡Ｓ２のような斜め方向の移動すなわち水平方向および垂直方向に共に移動する場合には、リモコン１２が最も低い位置ｍｉｎ（ｚ）＝ｚｂに来た時の垂直方向の変位量で決まる縮尺のレベルに変化させて水平方向への移動量を算出すると共に、最終的な表示状態はステップ５の位置Ｒ（５）のレベルに変化させてそのときの縮尺で表示を行わせるようにしている。
【００４８】
これにより、ｘ方向やｙ方向の水平面内の動きに関係なく、ｚ方向の変位の最下点ｍｉｎ（ｚ）がステップ１〜５を経る操作とリモコン軌跡Ｓ１、Ｓ２を経る操作とで同じであり、リモコン１２の移動開始位置と移動終了位置が同じであれば、必ず同じ地点に移動させるように表示させることができる。したがって、リモコン１２の操作を、リモコン軌跡Ｓ２のように滑らかな操作をするだけで良く、図７に示したように矩形状に移動操作する必要がなくなるので、操作性が向上し所望の地点を表示させるのに操作感が良好となる。
【００４９】
また、上記のようにリモコン１２の斜め変位の検出を、水平方向あるいは垂直方向のみに変位する場合とは分けて検出して縮尺の制御などを行う関係で、水平／垂直方向の変位と斜め変位との違いを判定することになる。この場合、使用者がいずれの操作を意図して操作をするかは、使用者のクセや感覚の個人差によってばらつきがあるので、一律の条件で判定のしきい値を設定するのではなく、後述する図５の「リモコンの挙動検出」の処理を実施することで個人差を考慮した判定動作ができるようになっている。これによって使い慣れてくると使用者の個人差あるいはクセなどを考慮した使い勝手の良い操作性を実現させることができる。
【００５０】
さらに、リモコン１２を上方に移動させて地図表示のズームアップを行なう際、縮尺の大きい広範囲な表示状態から、縮尺の大きい拡大された表示状態に移行させる際、使用者が表示した目的地を的確に表示することは困難なことが多い。これをできるだけ的確に拡大しながら表示させることができるようにする為に、ズームアップ時に画面中央のＸ，Ｙ座標の補正を行なうようにしている。
【００５１】
この方法としては、地図上に位置する特定地点としてのＰＯＩ（point of interest）地点Ｐｋ（ｋ＝１，２，３，…）＝（ＰＸｋ，ＰＹｋ）について、予めそれらに対応付けた重みＷｋ0を設定した重み付けリストを作成して記憶しておき、表示させる画面中のＰＯＩ地点の重みＷｋ0から画面中での重心位置ＧＰを求め、その重心位置ＧＰの座標と画面中央Ｃの座標（Ｘｃ，Ｙｃ）との差分をズームアップの量に比例して重心位置側に移動させることで目的地が画面に入りやすくなるようにしている。
【００５２】
また、ＰＯＩ地点については、使用者が目的地として設定した地点もリストに加えるようにしており、この場合には、使用者が車両用ナビゲーション装置１を使用するに従って、設定した状況などに応じて重みＷｋ0の値を変化させていくことで使用者の使用状況に応じた学習を行わせることができるようになっている。
【００５３】
次に、具体的な制御内容について図３〜図５のフローチャートも参照して説明する。なお、これら図３〜図５に示すフローチャートは、リモコン１２の制御回路２２が全て実施することもできるし、車両用ナビゲーション装置１の制御回路２による制御を含めた全体の制御を行うものとすることもできる。この実施形態では、制御回路２２および２の両者による制御を行う全体の流れとして示している。
【００５４】
図３は、リモコン１２の操作による基本的な処理内容を示すもので、使用者によりリモコン１２の表示部２６に表示された地図操作のアプリのスタートボタン２５ｂが操作されると、制御回路２２は、図３に示すフローチャートに従ってリモコン１２の変位情報を取得する。
【００５５】
まず、制御回路２２は、Ｇセンサ２３の検出信号に基づいてリモコン１２の現在位置をスタート位置Ｒ0（ｘ0，ｙ0，ｚ0）として位置情報を取得する（Ａ１）。続いて、制御回路２２は、所定時間間隔でリモコンのｉ番目の現在位置Ｒiを示す情報を取得する（Ａ２）。この場合、リモコン１２の現在の位置Ｒi（ｘi，ｙi，ｚi）は、スタート位置Ｒ0に対してｉ（＝１，２，３，…）回目の測定位置を示している。これにより、所定時間間隔でリモコン１２の位置Ｒiが順次算出され、スタート位置Ｒ0からの変位を検出することができる。
【００５６】
次に、制御回路２２は、リモコン１２の位置Ｒ0，Ｒi-1，Ｒiのデータから位置Ｒiにおける１回の測定毎の変位量ΔＲi（Δｘ，Δｙ，Δｚ）およびスタート位置Ｒ0からの積算変位量ΔＲ0（Δｘ0，Δｙ0，Δｚ0）を算出する（Ａ３）。ここで、変位量ΔＲi（Δｘ，Δｙ，Δｚ）および積算変位量ΔＲ0の各成分は次式で得られる。
【００５７】
Δｘ ＝ｘi−ｘi-1、   Δｙ ＝ｙi−ｙi-1、     Δｚ ＝ｚi−ｚi-1
Δｘ0＝ｘi−ｘ0、     Δｙ0＝ｙi−ｙ0、       Δｚ0＝ｚi−ｚ0
次に、上記のようにして得られた変位量ΔＲiおよび積算変位量ΔＲ0の値に基づいて、制御回路２２は、地図描画変位量を算出し（Ａ４）、算出結果に基づいて表示装置７に描画する地図の情報を作成し（Ａ５）これを車両用ナビゲーション１側に送信して表示装置７に表示させる。これらの具体的処理内容については、後述する。この後、制御回路２２は、表示部２６のストップスイッチ２５ｃが操作されていなければ（Ａ６でＮＯ）ステップＡ７に移行し、ストップスイッチ２５ｃがオン操作されている場合（Ａ６でＹＥＳ）にはアプリを終了する。
【００５８】
次の、ステップＡ７では、制御回路２２は、リモコン１２の変位方向について判断する。リモコン１２が水平方向あるいは垂直方向のいずれかである場合（Ａ７でＹＥＳ）には、ステップＡ１に移行してその時点での位置を新たなスタート位置Ｒ0として算出し、そうでない場合つまり斜めに変位している場合（Ａ７でＮＯ）にはスタート位置Ｒ0を変更することなくステップＡ２に移行して新たな位置Ｒiの算出をする。
【００５９】
また、リモコン１２が斜めに変位していたものが途中から水平方向あるいは垂直方向への移動に変化した場合もステップＡ７でＹＥＳと判断してステップＡ１に移行し、新たなスタート位置Ｒ0の算出を行う。
【００６０】
このような処理を実行することにより、リモコン１２の操作により斜め変位が継続している間は、リモコン１２の動作のスタート位置は変更されないので、そのときの変位量はスタート位置からの変位の積算量つまり積算変位量ΔＲ0となる。したがって、使用者にとっては１回の操作により所望の移動の操作をすることで表示を変化させることができ、その操作感も使い勝手の良いものとなる。また、水平／垂直のいずれか一方のみの変位である場合には、水平変位量のみの場合には縮尺を変えずに地図上を水平方向に移動させて表示し、垂直変位量のみの場合にはその位置で縮尺を変更するように地図表示する。
【００６１】
なお、リモコン１２の移動が停止された場合には、その位置が保持されるのであるから変位量はゼロとなり、そのまま処理を継続しても表示状態に変化は生じない。さらに、リモコン１２の変位を停止したときには、ストップスイッチを操作することで表示動作を停止させることが一般的であるから、この状態で処理が滞ることはない。
【００６２】
次に、上記の地図描画変位量算出の処理Ａ４で行った制御回路２２による処理について、図４のフローチャートに従って説明する。制御回路２２は、リモコンの挙動検出の処理を行う（Ｂ１）。ここでは、使用者によるリモコン１２の過去の挙動履歴から、使用者の操作の個人差を考慮した挙動の判定処理を行う。すなわち、使用者によってはｚ方向のみに操作しているつもりであっても、若干水平方向にも移動していることがあり、このような動作を厳密に水平方向への移動として捉えると使用者が所望しない地図の移動が生じてしまうので、これを使用者の個人差によるばらつきに従って許容範囲を適切に定めることで使い勝手を良くするものである。
【００６３】
そして、制御回路２２は、上記のようにしてリモコン１２の挙動が検出されると、これが水平あるいは垂直方向のみへの変位であった場合には水平／垂直変位と判断し、そうでない場合には斜め変位であると判断する（Ｂ２）。制御回路２２は、水平／垂直変位の場合には、地図上でのＸ、Ｙ、Ｚの各変位量を次式に従って計算する（Ｂ３）。
【００６４】
Ｘの変位量＝Δｘ0／ＲＸ×ＭＸｋ＋αＸ         （１）
Ｙの変位量＝Δｙ0／ＲＹ×ＭＹｋ＋αＹ         （２）
Ｚの変位量＝Δｚ0／ＲＺ×ｎ（＝ｋ）           （３）
上記の式中において、ＲＸ、ＲＹ、ＲＺはＸ、Ｙ、Ｚの各方向に対するリモコンの移動幅であり、ＭＸｋ、ＭＹｋは地図の縮尺がレベルｋのとき、つまり式（３）で得られたＺ変位量で決まるレベルの横幅サイズおよび縦幅サイズであり、αＸ、αＹは地図上でのＸ方向およびＹ方向に対する補正値である。このαＸ、αＹについては後述する。
【００６５】
また、制御回路２２は、斜め変位の場合には、地図上でのＸ、Ｙ、Ｚの各変位量を次式に従って計算する（Ｂ４）。
Ｘの変位量＝Δｘ0／ＲＸ×ＭＸｍ＋αＸ         （４）
Ｙの変位量＝Δｙ0／ＲＹ×ＭＹｍ＋αＹ         （５）
Ｚの変位量＝Δｚ0／ＲＺ×ｎ（＝ｋ）           （６）
上記の式中において、ＭＸｍ、ＭＹｍは地図の縮尺がレベルｍのときつまり式（６）で得られたｚ方向の積算変位量Δｚoは、リモコン１２が最も低い位置ｍｉｎ（ｚ）に来た時の垂直方向の変位量であり、この変位量で決まる縮尺のレベルに変化させて水平方向への移動量が算出される。
【００６６】
以上の処理により、リモコン１２の挙動が水平／垂直変位あるいは斜め変位のいずれであるのかが判定され、それらの変位量を上記した式に基づいて求めることができる。
なお、上記の式に従った計算を行う場合に、Ｘの変位量あるいはＹの変位量の計算では、αＸあるいはαＹを付加するようになっている。これらαＸやαＹの値は、補正成分であり、次式に基づいて求められる。補正をするにあたっては、
αＸ＝〔Σ（Ｗｋ／Ｄ）×（Ｘ―ＰＸｋ）〕／ＭＸ×ＡＸ            （７）
αＹ＝〔Σ（Ｗｋ／Ｄ）×（Ｙ―ＰＹｋ）〕／ＭＹ×ＡＹ            （８）
ここで、Ｗｋは地図上にあるｋ番目のＰＯＩ地点の重みＷｋの値、Ｄ、ＡＸ、ＡＹは所定の補正係数、ＰＸｋ、ＰＹｋの値はｋ番目のＰＯＩ地点の地図上での座標値である。また、Σは表示画面７に表示されるＰＯＩ地点のすべての値について加算することを示している。
【００６７】
ＰＯＩ地点とは、誰かが便利、あるいは興味のある所と思った特定の地点のことで、地図上の地点データとして登録されている。ここでは、このＰＯＩ地点の位置データに予め重み付けをしておき、地図を拡大表示させる場合にその重み付けの大きさに応じた位置に移動していくように制御する機能を設けている。
【００６８】
具体的には、図１６に示すように、表示画面に存在するＰＯＩ地点全体に重みを付ける。重みの付け方と代表ＰＯＩ地点選別の案としては、ナビで使用しているディスプレイの表示するための表示クラスを用いるなどの方法がある。ここでは、例えば名古屋地区においては「名古屋城」、「オアシス２１」、「芸術文化センター」などのよく知られている建物等を選んでその知名度に応じて重みＷ0を設定している。このように全国のよく知られた場所あるいは建物についてＰＯＩ地点を設定し、重み値Ｗｋ0を設定している。
【００６９】
また、使用者が目的地として設定した場所についてはＰＯＩ地点のリストに登録し、所定の重み値Ｗｋ0を与えると共に、目的地に設定した回数Ｃｋや、最後に目的地に設定してからの経過月数Ｔｋを用いて、重み値Ｗｋを算出する。算出方法の例としては、例えば次式（９）に従って行う。
【００７０】
Ｗｋ＝Ｗｋ0×ｌｏｇ（Ｃｋ／Ｔｋ）＋Ｗｋ0            （９）
これにより、目的地の設定回数Ｃｋが増えるとその対数分だけ乗じた重み付けとすることで設定回数の頻度に準じた対応をすることができ、また、最後の設定時からの経過月数Ｔｋで目的地設定回数Ｃｋを除することで経過月数Ｔが増えると、重み付けを少なくする対応をすることができ、これらの目的地設定状況に応じた重み付けを行なって、地図の表示をより認識しやすくすることができる。このようにしてｋ番目のＰＯＩ地点に現在の重み値Ｗｋを設定することができ、これに基づいて画面中の重心位置ＧＰに相当する位置を求めることができる。なお、地図の縮尺を小さくして拡大表示する場合の補正に際しては、上記した各ＰＯＩ地点の重み値Ｗｋの値を用いて前述の式（７）、（８）から補正値αＸ、αＹを求めることができる。
【００７１】
この結果、図５のように、リモコンを垂直移動させて広域から詳細まで拡大した際、本来ならば『中心点』が画面の中心に表示されるとすると、補正をかけることで図１７に示している『補正座標』が画面の中心にくる。また、主要なＰＯＩ地点は拡大をする際に表示する事も考えられる。
【００７２】
次に、上記したリモコンの挙動判定を行う場合における使用者の個人差を考慮した判定処理について図５のフローチャートを参照して説明する。制御回路２２は、使用者のリモコン操作について的確な判断をすべく、リモコン１２の使用者の個人差に起因したばらつきの量を定量化して判定基準を作成している。すなわち、制御回路２２は、過去Ｓ回（例えば１００回）のリモコン１２の操作時における座標検出の結果から、分布上水平／垂直の変位と判断できる許容範囲を計算し、これに基づいて水平／垂直の変位か斜め変位かの判定をするしきい値を判定基準として設定する（Ｃ１）。
【００７３】
続いて、制御回路２２は、今回の変位量ΔＲiの値が判断基準の範囲内にあるかそうでないかを判断し（Ｃ２）、範囲内にある場合にはＹＥＳと判断して水平／垂直変位と判定し（Ｃ３）、範囲から外れている場合にはＮＯと判断して斜め変位と判定する（Ｃ４）。
【００７４】
以上のようにしてリモコン１２の移動量に基づいて、よりスムーズな表示装置７の地図表示の制御を行うことができると共に、使用者の目的地の設定頻度に応じた表示制御や、使用者の個人差に起因したばらつきを考慮した地図の表示制御を的確に行え、初めての使用でも、また使い込んでいても、使い勝手に優れた表示の制御を行うことができる。
【００７５】
このような本実施形態によれば、次のような効果を得ることができる。
第１に、リモコン１２を水平方向および垂直方向に変位させることで表示装置７に表示させている地図の縮尺の変更および地点の移動をさせることができ、このような表示の制御をステップ１〜５のように矩形状をなすようにリモコン１２を移動させるのではなく、Ｓ２のように円弧状をなすように移動させた場合でも同じ制御を行うことができるようにしたので、使用者にとってリモコン１２を操作する際に、地図を目から離したり近づけたりあるいは移動させる実際の動作に対応付けて行えるので、初めてでも迷うこと無く簡単に行えると共に、スムーズな動きで表示移動をさせることができて使い勝手が向上する。
【００７６】
第２に、地図情報として、特定地点としてのＰＯＩ地点を重み値Ｗｋを付して記録し、制御回路２により、表示装置７の画面に表示中のＰＯＩ地点の重み値Ｗｋから重心位置を算出し、地図表示の縮尺を減少させるときに、画面の中心位置から重心位置方向にシフトさせて表示させるようにしたので、地図を拡大表示させるときに中心位置を基準として拡大する際に重み付けをした特定地点を画面内にできるだけ含むように表示させることができ、表示された地図の画面による確認がしやすくなる。
【００７７】
第３に、重心位置の計算を、表示装置７の画面中のＰＯＩ地点の座標値と重心位置座標との距離と重み値との積で求まるモーメント値が釣り合うときの重心位置座標として求めるようにしたので、複数の特定地点が存在する場合に、重み付けを大きくした特定地点を優先するように表示させることができ、使用者にとって確認しやすく使い勝手の良い表示動作を行わせることができる。
【００７８】
第４に、表示装置７の地図表示の縮尺を減少させるときに、中心位置と重心位置との差の距離を縮尺が最小のときに重心位置に中心位置が一致させるようにそのときの縮尺の度合いに応じて比例配分してシフトさせるようにしたので、表示状態を地図を拡大する方に操作するに従って徐々にシフトさせることで急激な表示移動を避けて自然な表示動作を行わせることができる。
【００７９】
第５に、ＰＯＩ地点として登録されている地点を目的地として設定した場合に、その設定回数Ｃｋが多くなるほど重み値Ｗｋを増加させ、最後の設定時からの経過時間Ｔｋが長くなるほど重み値Ｗｋを減少させるように重み値調整処理を行うようにしたので、使用者の行動履歴に追随しつつ、最新の行動情報に基づいて表示の仕方を変化させることができ、良く行く特定地点を優先したわかりやすい表示を行わせることができる。
【００８０】
第６に、重み値調整処理では、式（９）に基づいて調整重み値Ｗｋを算出するようにしたので、目的地の設定回数Ｃｋが増えるとその対数分だけ乗じた重み付けとすることで設定回数の頻度に準じた対応をすることができ、また、最後の設定時からの経過月数Ｔｋで目的地設定回数Ｃｋを除することで経過月数Ｔｋが増えると、重み付けを少なくする対応をすることができ、これらの目的地設定状況に応じた重み付けを行なって、地図の表示をより認識しやすくすることができる。
【００８１】
第７に、リモコン１２の変位量について、水平変位量が水平変位判定量に達しないときに水平変がなしであると判定し、垂直変位量が垂直変位判定量に達しないときに垂直変位がなしであると判定するようにしたので、使用者が水平方向あるいは垂直方向のみに操作手段を操作する場合に、使用者の意図していない操作をしてしまう場合でも、その許容範囲をもたせることで操作性の向上を図ることができる。
【００８２】
第８に、水平変位判定量および垂直変位判定量として、過去の複数回の変位量の値に基づいて設定するようにしたので、使用者によって個人差に起因して操作にばらつきがある場合でも、その操作者のクセなどを考慮した条件で動作の判定をすることができ、使い勝手の向上を図ることができる。
【００８３】
第９に、水平変位判定量および垂直変位判定量として、過去の所定回数の変位量の値から求めた分散値に基づいて設定するようにしたので、使用者の使い方が変動する場合でもその変動に追随して柔軟に対応することができ、使い勝手の向上を図ることができる。
【００８４】
第１０に、位置検出手段としてリモコン１２に設けられるＧセンサ２３としたので、リモコン１２の動きを加速度信号により捉えて位置を算出し、これによって変位量を検出するので、簡単な構成としながらリモコン１２の位置を検出することができる。
【００８５】
（他の実施形態）
なお、本発明は、上述した一実施形態のみに限定されるものではなく、その要旨を逸脱しない範囲で種々の実施形態に適用可能であり、例えば、以下のように変形または拡張することができる。
【００８６】
制御回路２２で処理した図３の実施内容は、車両用ナビゲーション装置１側において制御回路２で処理することもできる。また、もちろん制御回路２２および２の両者で処理を分担することもできる。
【００８７】
操作手段としては、スマートフォンを用いたリモコン１２以外に、一般的な携帯電話器やその他の携帯機器あるいは専用のリモコンを用いる構成とすることもできる。
ＰＯＩ地点の重みＷOの値の設定は適宜行うことができる。また、使用者に応じて目的地としての設定度合いを考慮して傾向別に設定することもできる。
【００８８】
ＰＯＩ地点に関する重みＷOの変化を計算する方式としては、式（９）に限らず、他の式を基準にして算出することができる。その場合、目的地としての設定頻度が増えることにしたがって大きくなる傾向の演算をし、最後に設定した時点からの経過時間が増えると小さくなる傾向の演算をするように演算式を設定れば良い。
【００８９】
リモコン１２の水平／垂直方向の操作と、斜め操作との判別をする方法としては、実施形態のものに限らず、他の基準を設定することもできる。個人的に操作と動作を対応づけるように設定をして学習させることでも良い。
【００９０】
リモコン１２の位置を示す座標系を、重力方向を基準とする（ｘ，ｙ，ｚ）を用いたが、これにかぎらず、リモコン１２の操作面をｘｙ面とし、操作面に垂直な方向をｚ方向として設定することもできる。また、表示装置７の画面を基準として例えば画面に近づいたり離れたりする方向をｚ方向とし、画面に平行な面内をｘｙ方向として設定する座標系を適用することもできる。
【００９１】
位置検出手段としてＧセンサ２３以外に、種々のセンサを用いることができる。例えば、光学的に位置を認識する方法や、超音波などの信号を用いて認識する方法などを適用することができる。
【００９２】
車両用ナビゲーション装置１の例を示したが、車両用に限らず、人が携帯するナビゲーション装置のようなものにも適用できるし、地図を表示する表示装置の表示を制御する操作手段を備えたもの全般に適用することができる。
【符号の説明】
【００９３】
図面中、１は車両用ナビゲーション装置、２は制御回路（制御手段）、７は表示装置（表示手段）、１２はリモコン（操作手段）、１３はリモコンセンサ、２２は制御回路（制御手段）、２３はＧセンサ（位置検出手段）である。
【図１】
0005845860.tif 000002
【図２】
0005845860.tif 000003
【図３】
0005845860.tif 000004
【図４】
0005845860.tif 000005
【図５】
0005845860.tif 000006
【図６】
0005845860.tif 000007
【図７】
0005845860.tif 000008
【図８】
0005845860.tif 000009
【図９】
0005845860.tif 000010
【図１０】
0005845860.tif 000011
【図１１】
0005845860.tif 000012
【図１２】
0005845860.tif 000013
【図１３】
0005845860.tif 000014
【図１４】
0005845860.tif 000015
【図１５】
0005845860.tif 000016
【図１６】
0005845860.tif 000017
【図１７】
0005845860.tif 000018